(57)【要約】      （修正有）【課題】複数のフックをまっすぐな横並びに壁面などに設置でき、そのように設置した場合にフックを個別に特定することができるようにする。【解決手段】ベース１にフック本体２が備わっている。ベース１に窓枠を着脱可能であり、装着時には窓枠が表示札を保持する。ベース１を横並びに連結するための連結具６を有する。連結具６が連結片部６１と突起６２とを有し、突起６２をベース１の左右の受孔部１６に圧入すると、連結具６が２つのベース１を離れないように横並びに連結する。窓枠を色分けしてもよい。表示札を傾斜させて配備するようにしてもよい。【選択図】図２
0003109616.tif 000002
【実用新案登録請求の範囲】
【請求項１】
壁面などに固定されるベースに物品が吊り下げられるフック本体が備わっているフックにおいて、
上記ベースの表面に区画形成された窓枠領域に着脱可能な窓枠と、その窓枠と窓枠領域との間に挟み込まれて保持される表示札と、上記ベースを別のフックのベースに対して横並びに連結するための連結具と、を追加したことを特徴とするフック。
【請求項２】
上記連結具が、互いに突き合わせて横並びに配備された２つの上記ベースのそれぞれに形成された凹所に跨がって収容される連結片部と、その連結片部に設けられて２つの上記ベースのそれぞれの凹所の底面に形成された受孔部に各別に圧入される一対の突起とを備えている請求項１に記載したフック。
【請求項３】
上記窓枠と上記表示札とを個別に備えて横並びに配備される複数の上記ベースによって構成されるベース列に含まれる個々の上記ベースに着脱可能な各別の上記窓枠が、他の窓枠に対して色分けされている請求項１又は請求項２に記載したフック。
【請求項４】
上記ベースの表面が、上記窓枠領域とその下側の平面領域とに区画されていて、上記窓枠領域が平面領域に対して交差する角度に傾斜している請求項１ないし請求項３のいずれか１項に記載したフック。
【考案の詳細な説明】
【技術分野】
【０００１】
本考案は、フック、特に、壁面などに固定されるベースに物品が吊り下げられるフック本体が備わっているフックに関する。
【背景技術】
【０００２】
この種のフックは住居や自動車などの室内壁面、柱や机、本棚などの多種多様な場所に設置してキーやその他の小物類を吊り下げることに汎用されている。この種のフックでは１つのベースに１つのフック本体が備わっているものが多く、そのようなフックを用いて数個の物品を吊り下げるときには、幾つかのフックを並べて壁面などに設置するということが行われていた。また、１つの大きなベースに複数のフック本体を設けたフックも従来より知られていた。
【考案の開示】
【考案が解決しようとする課題】
【０００３】
上記したような従来例のフックにおいて、ベースを壁面などに固定する手段には、ベースの裏面に保持させた粘着材を壁面などに貼り付けるという手段や、ベースを止め釘を用いて壁面などに固定するという手段が広く採用されている。しかし、そのような手段によってベースを壁面などに固定する場合には、１つのベースに１つのフック本体が備わっているフックを横に並べて壁面などに設置するときに、個々のフックをまっすぐに並べることが意外に困難であって、まっすぐに並べたつもりでも後になって眺めると個々のフックが段違いに設置されていたり傾斜していたりして見苦しいということが多々あった。
【０００４】
これに対し、１つの大きなベースに複数のフック本体を設けたフックでは、１つのベースに設けられているフック本体の数が決まってしまっているので、幾つかの物品を個々のフック本体に個別に吊り下げておきたいというような場合に、フック本体の数が不足したりフック本体の数が多すぎるといったことが多々起こっていた。
【０００５】
さらに、上記した２種類のいずれのフックにおいても、１つのフック本体に多様な物品を混在させて吊り下げてしまうことが多々あり、そのうちのある種の物品を取り外して携帯することが必要なときには、多くの混在した物品の中から目的の物品を選ぶという手間のかかる作業を行うことを余儀なくされる場合がある。
【０００６】
本考案は以上の状況に鑑みてなされたものであり、複数のフックをまっすぐに並べて壁面などに設置することを誰でもが失敗なく比較的容易に行うことができるだけでなく、複数のフックを並べて設置した場合に、どのフックに何を吊り下げるか、ということを個々のフックのベースに予め表示しておくことができるようにすることによって、１つのフック本体に多様な物品が混在して吊り下げられてしまうという事態をできるだけ回避することを可能とし、併せて、吊り下げる物品の数量が事後的に増えた場合に、その増えた物品の数量に見合ってフック本体の数を増やしていくことのできるフックを提供することを目的とする。
【課題を解決するための手段】
【０００７】
本考案に係るフックは、壁面などに固定されるベースに物品が吊り下げられるフック本体が備わっているフックにおいて、上記ベースの表面に区画形成された窓枠領域に着脱可能な窓枠と、その窓枠と窓枠領域との間に挟み込まれて保持される表示札と、上記ベースを別のフックのベースに対して横並びに連結するための連結具と、を追加した、というものである。
【０００８】
このフックによれば、連結具を用いて別々のフックのベース同士を横並びに連結することが可能であるので、それらのフックをまっすぐに横並びに配列しやすくなる。そのため、誰でもが失敗なくフックをまっすぐに横並びに配列して壁面などに設置する作業を比較的容易に行うことができるようになる。また、ベースの窓枠領域と窓枠との間に挟み込まれて保持された表示札に、物品名、物品取扱者や物品所有者などの名前などを予め記入しておくと、その表示札が備わっているフックのフック本体に吊り下げられる物品が特定されるため、１つのフック本体に多様な物品が混在して吊り下げられてしまうという事態が回避されやすくなる。さらに、フック本体の数を増やす必要が生じたときには、追加した別のフックのベースを壁面などにきれいに並べて固定することが可能であるので、吊り下げる物品の数量が事後的に増えた場合にもそれに見合ってフック本体の数を増やすことが容易である。
【０００９】
本考案では、上記連結具が、互いに突き合わせて横並びに配備された２つの上記ベースのそれぞれに形成された凹所に跨がって収容される連結片部と、その連結片部に設けられて２つの上記ベースのそれぞれの凹所の底面に形成された受孔部に各別に圧入される一対の突起とを備えていることが望ましく、これによれば、２つのベースのそれぞれの凹所に跨がって収容された連結片部によって、それらの２つのベースが横並びに配列されるようになる。また、連結具の突起をベース側の受孔部に圧入するだけで連結具によって２つのベースが連結されるので、フック同士の連結操作を誰でもが容易に正確に行うことができる。
【００１０】
本考案では、上記窓枠と上記表示札とを個別に備えて横並びに配備される複数の上記ベースによって構成されるベース列に含まれる個々の上記ベースに着脱可能な各別の上記窓枠が、他の窓枠に対して色分けされているという構成を採用することが可能であり、これによれば、窓枠の色によって、その窓枠を具備するフックに吊り下げるべき物品を特定することが可能になる。
【００１１】
本考案では、上記ベースの表面が、上記窓枠領域とその下側の平面領域とに区画されていて、上記窓枠領域が平面領域に対して交差する角度に傾斜している、という構成を採用することが可能であり、その構成を採用することによって、窓枠領域を見やすい角度に定めることが可能になる。そのため、フックの設置高さに応じて、窓枠領域と窓枠との間に挟み込まれた表示札の表示を見やすくすることが可能になる。
【考案の効果】
【００１２】
以上のように、本考案に係るフックによれば、連結具を用いて複数のフックを横並びに連結することができるので、複数のフックをまっすぐに並べて壁面などに設置することを誰でもが失敗なく比較的容易に行うことができる。そのため、壁面に複数のフックを並べて設置した場合に、個々のフックが段違いに並んでいたり傾斜していたりして見苦しいというような事態が起こりにくくなる。この効果は、連結具が、互いに突き合わせて横並びに配備された２つの上記ベースのそれぞれに形成された凹所に跨がって収容される連結片部と、その連結片部に設けられて２つの上記ベースのそれぞれの凹所の底面に形成された受孔部に各別に圧入される一対の突起とを備えている場合に特に顕著に発揮される。
【００１３】
また、ベースの窓枠領域と窓枠との間に挟み込まれている表示札の表示を見て、横並びに配列された複数のフックのうちのどのフックに何を吊り下げるか、ということが判るので、１つのフック本体に多様な物品が混在して吊り下げられてしまうという事態や、１つのフック本体に混在して吊り下げられた多様な物品から目的の物品を選び出すといった煩わしい手間のかかる作業を行うことを回避しやすくなる。この効果は、個々のベースに着脱可能な各別の窓枠が他の窓枠に対して色分けされているという構成を採用することによって発揮される。
【００１４】
さらに、本考案に係るフックでは、吊り下げる物品の数量が事後的に増えた場合に、追加したフックを連結具によって既存のフックに連結していくことが可能であるので、増えた物品の数量に見合ってフック本体の数を増やしていくことが可能である。そのため、フック本体の数を、吊り下げる物品の種類や数量などに見合う数に定めて、フック本体の数に過不足が生じることを回避することができるという利点もある。
【考案を実施するための最良の形態】
【００１５】
図１は本考案の実施形態に係るフックＡの分解斜視図、図２はフック本体２を備えたベース１と連結具６とをベース１の裏面側から見て示した分解斜視図、図３は複数のフックＡの横並び設置例を示した正面図である。
【００１６】
図１のように、フックＡは、ポリエチレン樹脂やポリアミド系樹脂などの樹脂で成形された矩形板片状のベース１を備えていて、そのベース１に、その下面から突き出た略Ｊ字状の金属製のフック本体２が備わっている。また、ベース１の裏面に両面粘着片３が貼着されていて、この両面粘着片３に重ね合わされた剥離紙３１を剥がし取った後、その両面粘着片３を壁面などに貼り付けると、ベース１が壁面などに固定されるようになっている。
【００１７】
このフックＡには、樹脂成形体でなる横長矩形環状の窓枠４と、透明フィルム５１によって表面が保護される表示札５と、図２に示した連結具６とが追加されている。ベース１の表面は、上側の窓枠領域Ｚ１とその下側の平面領域とに区画されていて、窓枠領域Ｚ１には矩形の凹入部１２が形成されている。そして、透明フィルム５１を表面に重ね合わせた上記表示札５をその凹入部１２に嵌め込んで位置決めすることができるようになっている。また、ベース１の窓枠領域Ｚ１において、凹入部１２を取り囲んでいる縁枠部１３の左右２箇所に受孔部１４，１４が備わっていて、上記窓枠４の裏面の左右２箇所に突設されている突起４１，４１をそれらの受孔部１４，１４に各別に押し込んで軽圧入することによってその窓枠４がベース１の窓枠領域Ｚ１に装着されるのに対し、その窓枠４を引張って突起４１，４１を受孔部１４，１４から抜き出すことによって窓枠４がベース１から取り外されるようになっている。このような窓枠４の着脱操作は必要に応じて何回も繰り返し行うことができ、窓枠４をそのように着脱することによって表示札５を交換することが可能である。
【００１８】
透明フィルム５１を表面に重ね合わせた表示札５を上記凹入部１２に嵌め込んでから窓枠領域Ｚ１に窓枠４を装着すると、表示札５が窓枠４と窓枠領域Ｚ１との間に挟み込まれて保持され、表示札５に予め記入された表示が窓枠４の開口から見えるようになる。
【００１９】
図２のように、ベース１の裏面の左右２箇所に凹所１５，１５が形成されている。これらの凹所１５，１５のそれぞれは、別のフックのベースを横並びにして突き合わせたときに、その別のフックのベースの凹所と連続するようになっていると共に、それぞれの凹所の底面に受孔部１６が備わっている。これに対し、連結具６は、長方形の連結片部６１の片面の左右２箇所に突起６２，６２を具備させた樹脂成形体によって形成されている。そして、図３によって判るように、２つのフックＡ，Ａのそれぞれのベース１，１を横並びに突き合わせてそれらの２つのベース１，１のそれぞれの凹所１５を互いに連続させた状態で、それら２つの凹所１５，１５の受孔部１６，１６に連結具６の一対の突起６２，６２を各別に軽圧入して連結片部６１をそれらの凹所１５，１５の両方に跨がって嵌め込んで収容させると、それらの２つのベース１，１が連結具６により離れないように連結され、しかも、２つの凹所１５，１５にがたつきなく嵌まり込んだ連結片部６１が、２つのベース１，１を上下方向で位置決めしてそれら２つのベース１，１をまっすぐな横並び状態に保持する。
【００２０】
したがって、上記したフックＡは、単一のものを単独で壁面などに固定して使用することができることは勿論、２つ又は２つより多いフックＡ…のそれぞれのベース１…を連結具６を用いて横並びに連結した状態で壁面などに固定して使用することもできる。そして、連結具６を用いて２つ又は２つより多いフックＡのベース１…を連結して用いる場合には、連結具６によって連結された２つのベース１，１同士が離れないように連結され、しかも、連結具６によって段違いを生じないようにまっすぐな横並び状態に保持されるために、たとえば図３のように複数のフックＡ…が整然とまっすぐに横に並んで設置されるようになる。
【００２１】
また、横並びに設置した複数のフックＡ…のそれぞれの表示札５に、その表示札５を備えるフックＡのフック本体２に吊り下げるべき物品の名前、あるいは、その物品の所有者又は取扱者の名前などを記入しておくと、フック本体２に吊り下げられる物品が表示札５に記入された事項によって特定されるために、１つのフック本体２に多様な物品が混在して吊り下げられてしまうという事態が回避されやすくなる。また、それぞれのフック本体２…に吊り下げられている物品を選び出すときにも、どのフック本体２に吊り下げられている物品を選べばよいかを、表示札５の記入事項を見て判別することが可能になるという利便がある。
【００２２】
さらに、フック本体２の数を増やす必要が生じたときには、壁面に設置されている既存のフックＡのベース１と追加した別のフックＡのベース１とを連結具６を用いて連結し、かつ、その別のフックＡのベース１を壁面に固定することによって、フック本体２の数を増やすことが可能である。したがって、吊り下げる物品の数量が事後的に増えた場合にもそれに見合ってフック本体２の数を増やすことが容易である。
【００２３】
また、図３のように複数（図例では５つ）のフックＡ…を横並びにして壁面に設置した場合には、それら個々のフックＡのベース１の集まりによってベース列Ｂが形成され、そのベース列Ｂに含まれる個々の窓枠４が横並びになっている。そのため、窓枠４を他の窓枠４と色分けして個々のフックＡを特定することが可能になる。そして、そのように窓枠４の色で個々のフックＡを特定しておくことによっても、１つのフック本体２に多様な物品が混在して吊り下げられてしまうという事態が回避されやすくなるだけでなく、それぞれのフック本体２…に吊り下げられている物品を選び出すときにも、どのフック本体２に吊り下げられている物品を選べばよいかを、窓枠４の色を見て判別することが可能になる。
【００２４】
ところで、実施形態のフックＡでは、ベース１の表面側の窓枠領域Ｚ１を、その下側の平面領域Ｚ２に対して上向きに少し傾斜させてある。こうしておくと、窓枠４や表示札５の記入事項を正面からだけでなく、斜め上方からも見やすくなる。そのため、フックＡが人の目線より下位に設置されていても、そのフックＡのフック本体２に吊り下げられている物品を、窓枠４の色や表示札５の記入事項によって判別しやすいという利点を備えている。なお、窓枠領域Ｚ１の傾斜角度の傾斜方向は図例に限定されるものではなく、たとえば下向きに傾斜させておくことが便利な場合もある。
【図面の簡単な説明】
【００２５】
【図１】本考案の実施形態に係るフックの分解斜視図である。
【図２】フック本体を備えたベースと連結具とをベースの裏面側から見て示した分解斜視図である。
【図３】複数のフックの横並び設置例を示した正面図である。
【符号の説明】
【００２６】
Ａ  フック
Ｂ  ベース列
１  ベース
２  フック本体
４  窓枠
５  表示札
６  連結具
１５  凹所
１６  受孔部
６１  連結片部
６２  突起
Ｚ１  窓枠領域
Ｚ２  平面領域
【図１】
0003109616.tif 000003
【図２】
0003109616.tif 000004
【図３】
0003109616.tif 000005